(57)【要約】【課題】小口の顧客向けの通常メール便、速達メール便としても好適に使用可能な配送用シールを提供する。【解決手段】四角形状の配送物貼付シール部を有する取扱店控と、お客様控と、が切り離し部を介して連接する表面用紙が紙基材に形成されており、当該紙基材が粘着剤層を介して剥離基材上に積層されている配送用シール１であって、前記四角形状の配送物貼付シール部４は、シール周縁切込み４６によって剥離可能に区画されるとともに、該配送物貼付シール部の左右の辺に沿って平行に形成された取扱店控片１１ａ，１１ｂを有するようにされており、さらに、上辺左寄りには、取扱店控部側に突出した一方のつまみ４２ａが、下辺右寄りには、取扱店控部側に突出した他方のつまみ４２ｂを有していて、一方のつまみを摘んで引き剥がした際に、所定の取扱店控片を伴って引き剥がしできることを特徴とする。【選択図】  図１
2013144435.tif 000002
【特許請求の範囲】
【請求項１】
内側に四角形状の配送物貼付シール部を有する取扱店控と、お客様控と、が切り離し予定部を介して連接する表面用紙が紙基材に形成されており、当該紙基材が粘着剤層を介して剥離基材の剥離処理面上に積層されている配送用シールであって、
前記四角形状の配送物貼付シール部は、外枠となる取扱店控部からシール周縁切込みによって剥離可能に区画されるとともに、該配送物貼付シール部の左右の辺に沿って平行に形成された切取ミシンと前記シール周縁切込みによって囲まれた領域である左右の取扱店控片を有するようにされ、さらに、前記配送物貼付シール部の上辺中央の左寄りには、取扱店控部側に突出した一方のつまみが、下辺中央の右寄りには、取扱店控部側に突出した他方のつまみが前記シール周縁切込みによって形成されており、
前記二つのつまみの内、一方のつまみを摘んでシール周縁切込みに沿って配送物貼付シール部を前記剥離基材から引き剥がした際に、引き剥がしを開始したつまみに近い側の取扱店控片を伴って引き剥がされ、他方のつまみに近い側の取扱店控片が取扱店控部に残るようにされていることを特徴とする配送用シール。
【請求項２】
一方の切取ミシンに近接する配送物貼付シール部と取扱店控片には配送物の取扱種別を示す二種類の標識の一つが、他方の切取ミシンに近接する配送物貼付シール部と取扱店控片には配送物の取扱種別を示す二種類の標識の他の一つが印刷によって表示され、さらに前記それぞれの切取ミシンを跨ぐように配送物の大きさを示す文字及び該文字を囲むようにしたマークガイドが印刷されていることを特徴とする請求項１記載の配送用シール。
【請求項３】
前記シール周縁切込みの左右の辺の内、一方の辺に近接する取扱店控片とその外側の取扱店控部には配送物の取扱種別を示す二種類の標識の一つが印刷によって表示され、他方の辺に近接する取扱店控片とその外側の取扱店控部には配送物の取扱種別を示す二種類の標識の他の一つが印刷によって表示され、さらに前記それぞれの切取ミシンを跨ぐように配送物の大きさを示す文字及び該文字を囲むようにしたマークガイドが印刷されていることを特徴とする請求項１記載の配送用シール。
【請求項４】
前記２本の切取ミシンは、それぞれ複数の補助カット部とアンカット部を有することを特徴とする請求項１ないし請求項３の何れか１の請求項記載の配送用シール。  
【請求項５】
前記シール周縁切込みの左右の辺は、それぞれ複数の補助カット部とアンカット部を有することを特徴とする請求項１ないし請求項４の何れか１の請求項記載の配送用シール。
【発明の詳細な説明】
【技術分野】
【０００１】
本発明は、メール便と称される宅配の一形態に使用される配送用シールに関する。
【背景技術】
【０００２】
近年、カタログ等軽量な冊子状の印刷物その他の軽量物を対象とする「メール便」と呼ばれる宅配手段が多く利用されている。
この「メール便」は、配送業者が送り主から直接引き取り、集荷した配送物を配達地域別に仕分けして発送し、受取人の郵便受け等に配送物を投函して配送を完了するもので、配送物が投函可能な大きさのものに制限されている。また、このシステムでは、従来から実施されている宅配便とは異なり、配送物を受け渡す際に受取人から受領印や、サインを貰う、いわゆる判取りは行なわない。
【０００３】
通常の宅配システムでは、伝票に記載された番号で配送物の配送状況を管理しているが、「メール便」でも、管理番号のみが表示されたラベルが配送伝票とともに配送物に貼付されて配送状況の管理に使用されている。
そこで、「メール便」に貼付する宛名ラベルを改良し、発送時に複数のラベルを貼付する送り主の作業を軽減するとともに、配送業者における集荷から仕分け、配達に至る配送処理を効率的かつ迅速、正確に行う技術が開示されている。
この技術は、宅配配送物に貼られる一枚の宛名ラベルに、届け先の郵便番号，住所，氏名，及び、伝票番号，伝票番号を表示したバーコードを一体に印字出力するというものである（例えば、特許文献１参照）。
【先行技術文献】
【特許文献】
【０００４】
【特許文献１】特開２００１−２７２９１４号公報
【発明の開示】
【発明が解決しようとする課題】
【０００５】
特許文献１で開示されている技術は、月単位，年単位の事前契約を伴う法人を対象としているため、配送料金は別払いとなり、配送物を扱うドライバーは現金を扱わないで済むというメリットがある。
一方、事前契約を伴うシステムの場合は、「メール便ラベル」（バーコードが印刷されただけのラベル）を予め送り主側である契約者に配布しておき、ラベルを貼付した配送物を回収する際に、２枚構成の「出荷票」を起票し、１枚を送り主である法人側の控え、残る１枚を配送業者側の控えとして利用している。
契約数量が多い法人に対しては、前述のようなシステムが利用されているが、個人や、少量しか依頼しない現金払いの「メール便」利用者に対しては、好適なシステムが開発されていない。
【０００６】
また、近年では、通常条件で送付される通常メール便のほかに、速達扱いの速達メール便も出現している。
そこで本発明は、管理番号のみが表示されたラベルが宛先記載ラベルとともに配送物に貼付され、小口の顧客向けの通常メール便、速達メール便としても好適に使用可能な配送用シールを提供することを目的とするものである。
【課題を解決するための手段】
【０００７】
前記課題の目的を達成するために本発明の配送用シールは、
内側に四角形状の配送物貼付シール部を有する取扱店控と、お客様控と、が切り離し予定部を介して連接する表面用紙が紙基材に形成されており、当該紙基材が粘着剤層を介して剥離基材の剥離処理面上に積層されている配送用シールであって、前記四角形状の配送物貼付シール部は、外枠となる取扱店控部からシール周縁切込みによって剥離可能に区画されるとともに、該配送物貼付シール部の左右の辺に沿って平行に形成された切取ミシンと前記シール周縁切込みによって囲まれた領域である左右の取扱店控片を有するようにされ、さらに、前記配送物貼付シール部の上辺中央の左寄りには、取扱店控部側に突出した一方のつまみが、下辺中央の右寄りには、取扱店控部側に突出した他方のつまみが前記シール周縁切込みによって形成されており、前記二つのつまみの内、一方のつまみを摘んでシール周縁切込みに沿って配送物貼付シール部を前記剥離基材から引き剥がした際に、引き剥がしを開始したつまみに近い側の取扱店控片を伴って引き剥がされ、他方のつまみに近い側の取扱店控片が取扱店控部に残るようにされていることを特徴とするものである。
【０００８】
上記の配送用シールにおいて、一方の切取ミシンに近接する配送物貼付シール部と取扱店控片には配送物の取扱種別を示す二種類の文言の一つが、他方の切取ミシンに近接する配送物貼付シール部と取扱店控片には配送物の取扱種別を示す二種類の文言の他の一つが印刷によって表示され、さらに前記それぞれの切取ミシンを跨ぐように配送物の大きさを示す文字及び該文字を囲むようにしたマークガイドが印刷されているようにしてもよいものである。
【０００９】
上記の配送用シールにおいて、前記シール周縁切込みの左右の辺の内、一方の辺に近接する取扱店控片とその外側の取扱店控部には配送物の取扱種別を示す二種類の標識の一つが印刷によって表示され、他方の辺に近接する取扱店控片とその外側の取扱店控部には配送物の取扱種別を示す二種類の標識の他の一つが印刷によって表示され、さらに前記それぞれの切取ミシンを跨ぐように配送物の大きさを示す文字及び該文字を囲むようにしたマークガイドが印刷されているようにしてもよいものである。
【００１０】
上記の配送用シールにおいて、前記２本の切取ミシンは、それぞれ複数の補助カット部とアンカット部を有するようにしてもよく、前記シール周縁切込みの左右の辺も、それぞれ複数の補助カット部とアンカット部を有するようにしてもよいものである。
【発明の効果】
【００１１】
（１）本発明の配送用シール（請求項１）は、従来宅配などで使用されるメール便では、配送のためのシールを通常メール便用と速達メール便用と、を別々に用意し使い分けする必要があったが、一枚の配送用シールにまとめることができ、取り違えて使用されることもなくなる。また、在庫管理も容易になり、コストダウンを計ることもできる。
さらに、配送物貼付シールの引き剥がし部（つまみ）が明確になっていて、正確、かつ、スピーディーに引き剥がし作業を行なうことができる。
（２）本発明の配送用シール（請求項２）は、２本の切取ミシンに近接する配送物貼付シール部と取扱店控片には配送物の取扱種別を示す標識が表示され、さらに前記それぞれの切取ミシンを跨ぐように配送物の大きさまたは厚みを示す文字及びマークガイドが印刷されていることによって、配送物に配送物貼付シールが貼付された状態でその配送物がどのような取扱種別のものかが明確に判別できる。また、取扱店控部にも取扱種別がわかるように標識が残されるため、配送依頼主の問い合わせにも的確に対応することができる。
【００１２】
（３）本発明の配送用シール（請求項３）は、シール周縁切込みの左右の辺の内、一方の辺に近接する取扱店控片とその外側の取扱店控部には配送物の取扱種別を示す二種類の標識の一つが印刷によって表示され、他方の辺に近接する取扱店控片とその外側の取扱店控部には配送物の取扱種別を示す二種類の標識の他の一つが印刷によって表示され、さらに前記それぞれの辺を跨ぐように配送物の大きさまたは厚みを示す文字及びマークガイドが印刷されていることによって、配送物に配送物貼付シールが貼付された状態でその配送物がどのような取扱種別のものかが明確に判別できる。また、取扱店控部にも取扱種別がわかるように標識が残されるため、配送依頼主の問い合わせにも的確に対応することができる。
（４）また、本発明の配送用シール（請求項４）においては、前記２本の切取ミシンは、それぞれ複数の補助カット部とアンカット部を有するようにされているので、容易に予定した取扱店控片を切取でき、また、切取する前にシールが剥離してしまうこともない。
（５）また、本発明の配送用シール（請求項５）は、前記シール周縁切込みの左右の辺は、補助カット部とアンカット部を有するようにされているので、容易に予定した形状に切取でき、また、切取する前にシールが剥離してしまうこともない。
【図面の簡単な説明】
【００１３】
【図１】本発明の配送用シールの一実施形態を説明する平面図である。
【図２】図１の配送用シールの層構成を説明する図である。
【図３】本発明の配送用シールの他の実施形態を説明する平面図である。
【図４】速達メール便に使用される取扱店控の一例について説明する図である。
【図５】速達メール便に貼付される配送物貼付シールが剥された後の取扱店控、および配送物貼付シール部の一例について説明する図である。
【図６】配送物に配送物貼付シールが貼付された状態について説明する図である。
【図７】図１、図２のシール周縁切込みと切取ミシンを図示したもので、打ち抜き刃型形状に相当する図である。
【図８】図３のシール周縁切込みと切取ミシンの刃型形状を説明する図である。
【発明を実施するための形態】
【００１４】
以下、図面を参照して、本実施形態の配送用シールについて説明する。
図１の平面図のように、本実施形態の配送用シール１は、取扱店控１１とお客様控１２とが、お客様控切り離し予定部１３を介して連接した表面用紙が紙基材に形成されている。取扱店控１１は、その内側に四角形状の配送物貼付シール部４を有している。
配送物貼付シール部４は、管理コードを有する中央部分４ｃと、その両側の取扱店控片１１ａ，１１ｂからなっている。さらに、配送物貼付シール部４には、通常便と速達便を区別する配送物の取扱種別を示す文言４７と配送物の大きさや厚み、送料を表示する文字および該文字を囲むマークガイド４５が設けられている。マークガイド４５は、該文字を囲む長円の鎖線等であり、その線に沿ってマークすることを促すものである。
なお、取扱種別を示す文言４７に代えて、記号やマーク、表示、色彩等であってもよい。要するに種別を認識できる標識となるものであればよいものである。
【００１５】
配送物貼付シール部４は、通常便用と速達便用とを区別して使用する必要があり、その種別のシールを確実に切取りするために周縁切込み４６や切取ミシン４１ａ，４１ｂ、およびつまみ４２ａ，４２ｂが形成されている。
表面用紙２０（図２参照）には、それらの形状や文字、模様が印刷され、抜き刃型によりシール周縁切込み４６や切取ミシン４１ａ，４１ｂが形成されている。抜き刃型によるものは、外観的には殆ど目に見えないものである。なお、表面用紙２０は、上記の取扱店控１１とお客様控１２を備える表面の紙基材のみを云うものとする。
配送物貼付シール部４の四角形状には、長方形状や角丸長方形状を含み、上記のようにつまみ４２ａ，４２ｂのような突起形状等の付属形状による多少の変形を伴うものをも包含するものとする。
配送物貼付シール部４の上辺中央の左寄りには、取扱店控側に突出した一方のつまみ４２ａが、下辺中央の右寄りには、取扱店控側に突出した他方のつまみ４２ｂが前記シール周縁切込み４６によって形成されている。
【００１６】
次に、図２を参照して、本発明の配送用シールの層構成について説明する。
本実施形態の配送用シール１は、二層構造になっており、剥離基材３の片面に粘着剤層（図示しないが、図２の紙基材２の裏側に形成されている）を伴った紙基材２が貼り合わされている。剥離基材３の粘着剤層と接する面には剥離処理（図示せず）が施されており、紙基材２の粘着剤が容易に剥離基材３から剥がせるようになっている。
【００１７】
図１に戻って、配送用シールについてさらに詳細に説明する。
本実施形態の配送用シール１は、前述のように表面用紙２０に、取扱店控１１とお客様控１２が、ミシン目である切り離し予定部１３を介して連接して形成されている。このミシン目は剥離基材３までを貫通するものである。
前記のように、取扱店控１１は、その内側に略長方形状の配送物貼付シール部４を有していて、剥がした配送物貼付シール部４は配送物に貼付されるので、取扱店控１１から配送物貼付シール部４を剥がし取った残り部分が実質的には取扱店に残ることになる。この残り部分を本明細書では取扱店控部１１０（図５（ａ）参照）ということにする。
図１の配送物貼付シール部４は長方形状にされているが、つまみ４２ａ，４２ｂが長方形状から突出し、半円形の各つまみ４２ａ，４２ｂの底辺部分が長辺に平行ではなく裾を引くように傾斜している特徴がある。
【００１８】
つまみ４２ａが左寄りにあって、つまみ４２ｂが右寄りにあるのは、それに近い側の取扱店控片を伴って剥離し易くするためであり、他方側の取扱店控片を取扱店控部１１０に残すためである。例えば、つまみ４２ａを摘んで剥離すれば、取扱店控片１１ａを伴って引き剥がされ、取扱店控片１１ｂは取扱店控部１１０に残ることになる。
シール周縁切込み４６には、アンカット部（非切断部）を複数箇所設けることができる。これは、無用な剥離を防止することと、つまみ４２ａ，４２ｂの選択により必要な取扱店控片を伴って容易に切取りできるようにする目的である。ただし、シール周縁切込み４６のアンカット部がなくても使用できるので必須のものではない。
【００１９】
配送物貼付シール部４は、紙基材２を貫通し配送物貼付シール部４の左右の辺に平行に形成された２本の切取ミシン４１ａ，４１ｂによって、配送物貼付シール部の中央部分４ｃとその両脇の取扱店控片１１ａ，１１ｂに分離可能にされている。
ただし、中央部分４ｃと両脇の取扱店控片１１ａ，１１ｂが切取り前に分離しないように、切取ミシン４１ａ，４１ｂには、０．５〜１．５ｍｍ程度長さのアンカット部が複数箇所形成されている。アンカット部の先には、「Ｖ」字形状の補助カット部が形成されている。アンカット部で切取方向がミシンの方向から反れても、補助カット部により元の方向に戻る矯正効果を生じることになる。連続したカット線の場合は、シールが自然に剥離し脱落することも生じ得るが、アンカット部はこれを防止する効果がある。
なお、製造現場では、シール周縁切込み４６につながるアンカット部を「つなぎ」と云い、それ以外のアンカット部を「とめ」とし、区別する場合もある。
【００２０】
前記つまみ４２ａ，４２ｂのいずれか一方を摘んでシール周縁切込み４６に沿って配送物貼付シール部４を剥離基材３から引き剥がしたときに、引き剥がしを開始したつまみに近い側の取扱店控片が配送物貼付シール部の中央部分４ｃを伴って引き剥がされ、もう一方側の取扱店控片は、切取ミシン４１によって分離され、取扱店控部１１０側に残るようになっている。従って、配送物に貼付されるのは、取扱店控片１１ａ，１１ｂの何れか一方側のみとなる。
【００２１】
取扱店控１１の配送物貼付シール部４と、配送物貼付シール部４を剥がした後に剥離基材上に残される取扱店控部１１０には、配送物を追跡するための同一番号による管理コード１１１が印刷されている（図５参照）。
なお、配送物貼付シール部４には、前述の取扱店控部１１０の管理コード１１１と同一番号の光学読取管理コード４４が印刷されている（図５参照）。
【００２２】
また、図１に示すように、配送物貼付シール部４には、切取ミシン４１ａ，４１ｂを跨ぐように、それぞれ配送物の大きさまたは厚みを示す文字を囲むようにマークガイド４５が印刷されている。
上述の配送物の大きさまたは厚みを示す文字には、配送物の大きさを示すＡ４、Ｂ４などの文字、および、図示しないが、１ｃｍ、２ｃｍなど配送物の厚さを示す数字などが含まれる。これらの表示文字は、送り主に配送料金を請求するときに利用される。
送り主または取扱店の店員は配送物に応じた表示を選択し、マークガイド４５に沿って筆記具でマーク５（図４参照）を付する。
【００２３】
一方、配送物貼付シール部４の左右の切取ミシン４１ａ，４１ｂの近く（切取ミシンから０．５〜２．０ｃｍ程度の距離内）の両側には配送物の取扱種別を示す文言４７が、切取ミシンの両側に、「通常」、「速達」などの文字で印刷されている。さらに、配送物貼付シール部４の上下には「通常時つまみ」、「速達時つまみ」などの引き剥がしのための「案内文言」が印刷されている。
また、取扱店控１１には、紙基材２と剥離基材３が貼り合わされた状態で、紙基材２と剥離基材３を貫通するファイル孔１４が形成されている。
このファイル孔１４は、配送物が配送された後、取扱店が取扱店控部１１０として保管する際に使用される。
【００２４】
図３は、本発明の配送用シールの他の実施形態を説明する平面図である。
図３図示の配送用シールの基本形態は、図１の配送用シールと同様であり、四角形状の配送物貼付シール部４を有し、それを区画するシール周縁切込み４６や切取ミシン４１ａ、４１ｂ、およびつまみ４２ａ，４２ｂを同様に有する。
図３図示の配送用シール１が、図１図示のものと異なる点は、シール周縁切込み４６の左側の辺に近接する取扱店控部と取扱店控片１１ａには、配送物の取扱種別を示す二種類の文言４７の一つが印刷によって表示されており、シール周縁切込み４６右側の辺に近接する取扱店控部と取扱店控片１１ｂには配送物の取扱種別を示す二種類の文言４７の他の一つが印刷によって表示され、さらに前記それぞれのシール周縁切込み４６の左右の辺を跨ぐように配送物の大きさまたは厚みを示す文字及び該文字を囲むようにしたマークガイド４５が印刷されていることである。また、速達時つまみと通常時つまみの位置が、図１の場合とは逆になっていることにも注意が必要である。
上記において、「辺に近接する」とは、双方の控の文言４７が、シール周縁切込みから０．５〜２．０ｃｍ程度の距離内にあることは、図１の場合と同様である。
【００２５】
取扱種別を示す文言４７に代えて、記号やマーク、表示、色彩等の標識であってもよいことも、図１の場合と同様である。
取扱種別を示す文言４７とそのつまみを含む領域を、同一の色彩で統一することで間違いを少なくできる。例えば、「速達」の文字とつまみ４２ａの領域を緑色または緑色白抜き文字にし、「通常」の文字とつまみ４２ｂの領域を赤色または赤色白抜き文字にして、統一するように印刷する場合である。
このように、取扱種別を示す二種類の文言４７やマークガイド４５をシール周縁切込み４６の左右の辺近くに設ける場合は、取扱店控片１１ａ，１１ｂが切取られても、取扱店控部１１０には、取扱種別を示す文言４７とマーク５が残る利点がある。
【００２６】
配送物の取扱種別を示す文言４７は、シール周縁切込み４６の内外に印刷されている。すなわち、図３の例では、取扱店控片１１ａ内とその外側に、「通常」の文字が印刷され、取扱店控片１１ｂ内とその外側に、「速達」の文字が印刷されている。
さらに、図３の実施形態では、シール周縁切込み４６の左右の辺にも「Ｖ」字形状の補助カット部とアンカット部が形成されている違いがある。
なお、図３の場合は、管理コード用シール４９が切取可能にされていて、必要な個所に貼付できるようにされている。
【００２７】
図４、図５を参照して、配送用シールの使用方法について説明する。
図４は、速達メール便に使用される取扱店控の一例について説明する図である。図１の実施形態を用いて説明しているが、図３の場合も同様となる。
送り主が配送物を速達扱いで配送するよう希望すると、店員は、配送物の取扱種別を示す文言「速達」の上または下部に印刷されている配送物の大きさを示す文字の例えば、「Ａ４」を選択し、その周囲のマークガイド４５に沿って筆記具でマーク５を記載する。
お客様控１２は、お客様控切り離し予定部１３から切り離され、配送物の送り主に渡される。
【００２８】
図５は、速達メール便に貼付される配送物貼付シールが剥された後の取扱店控（ａ）、および、配送物貼付シール（ｂ）の一例について説明する図である。
図５に示すように、マーク５は、配送物貼付シール部４を取扱店控１１から引き剥がしたときに、残された取扱店控片１１ａ，１１ｂの何れかにマーク５の半分が残るように記載される。取扱種別および半分のマーク５内の記載により、取扱店には管理コード１１１の配送物は扱いが「速達」で、大きさが「Ａ４」サイズ（サイズを示す文字の横に表示された「２３０」の数字は、配送料金を示す数字である。）の配送物であることの記録が取扱店控に残される。配送物の大きさを示す文字の「Ａ４」には併せて、前述のような配送物の厚さの目安数字が一緒に表示される場合もある。
【００２９】
図４において、配送物貼付シール部４を、つまみ４２ａによって剥離基材３から引き剥がしてゆくと、図５に示すように、配送物貼付シール部の中央部分４ｃが取扱店控片１１ａを伴って剥離し、取扱店控片１１ｂは取扱店控部１１０側に残るようになる。この際、切取ミシン４１ａのアンカット部は引きちぎられる状態で切断される。
【００３０】
図５（ｂ）のようにして剥がされた配送物貼付シール部４は、配送物に貼付される。
配送担当者は、マーク５の位置近くに表示されている取扱種別を示す文言「速達」によってこの配送物は速達扱いであることが判る。配送担当者は、配送物を受取人の郵便受け等に投函する前に携帯端末で光学読取管理コード４４を読取って、携帯端末の配送済みリスト（メモリ）にこの配送物が配送済みであることを記録する。
【００３１】
配送物貼付シール部４が剥ぎ取りされた取扱店控１１は、図５（ａ）に、黒色で示すように剥離基材３が露出した状態で取扱店に残され、ファイル孔１４で綴じて保管できる。
取扱店は、取扱店控部１１０の取扱店控片１１ｂに記載されたマーク５の位置近くに表示されている配送物の取扱種別を示す文言「速達」によって、この配送物が「速達」扱いであること、マーク内の文字によりサイズが「Ａ４」であり、配送料金「２３０円」で配送されたことの証が残される。また、依頼主から問い合わせが有った場合は、管理コード１１１を確認して配送物はすでに配送されたことを伝えることができる。
なお、図３の実施形態の場合は、例えば、つまみ４２ａを摘んで剥離した場合は、「通常」を示す取扱店控片１１ａを伴った配送物貼付シール部４が得られる。取扱店控部１１０には、シール周縁切込み４６を介した取扱店控片１１ａの外側に印刷されている「通常」の文字により、通常便で送られたことを知ることができる。
【００３２】
図６に示すように、取扱店では配送物の配送依頼があったときは、まず、配送伝票７に配送物の受取人の住所、氏名と、依頼主の住所、氏名などを記載してもらい配送物６に貼付する。一方、配送用シール１からマーク５が記載された配送物貼付シール部４を剥がし、前述の配送物６の配送伝票７の貼られていない空きスペースに貼付する。
配送物貼付シール部４の配送物６への貼付が確認された後で、配送用シール１のお客様控切り離し予定部１３により、お客様控１２が切り離され配送物の送り主に渡される。
お客様控１２には、固有の番号であるお問い合わせ番号１２１（図４参照）が目視読取可能な数字で印刷されている。送り主は、配送物の配送状況を確認したいときに、配送伝票７の控等に印刷された配送センターに電話し、このお問い合わせ番号１２１で配送物の所在を確認する。
お問い合わせ番号１２１の形態、桁数等は、図１、２に表示された内容に限られないが、取扱店控１１に印刷された管理コード１１１（図４参照）と同一の番号のものでなければならない。
【００３３】
本実施形態で説明するメール便で扱われる配送物は、信書ではない軽量な配送物を対象としている。すなわち、手紙、はがき、請求書、納品書等の信書、運賃の範囲内で賠償できないもの、有価証券類等は対象としない。カード類もメール便としては扱われない。また、他の配送物に損害を及ぼす毒物、動植物などもメール便では扱われない。なお、軽量とは、およそ２ｋｇ程度以内のものである。
【００３４】
本実施形態の説明では、「つまみ」４２ａ，４２ｂは半円形の突起状で示しているが、つまみの形状はこれに限られなくその他の形状であっても良い。ただし、配送用シール１に管理コードや、お問い合わせ番号などの配送情報をプリンタによってプリントする際に、「つまみ」部分から剥がれてプリンタ内で詰まらない形状にしなければならない。
また、本実施形態の配送物貼付シール部４の左右の辺、および中央部分４ｃとその両脇の取扱店控片に分離する切取ミシン４１ａ，４１ｂは、「Ｖ」字形の補助カット形状になっているが、片側に突き出た波型の形状のジッパーミシン形状でもよく、この形状に限られるものではない。
【００３５】
図７を参照して、シール周縁切込みと切取ミシンについて説明する。
図７は、シール周縁切込みと切取ミシンを拡大図示したもので、シールの打ち抜き刃型形状に相当するものである。図１，２，４のものとは異なり、シール周縁切込み４６の左右の辺にも補助カット部とアンカット部を形成したものを示している。
シール周縁切込み４６の上側の切込み線と切取ミシン４１ａの接続部分は円弧でつながるようにされ、その部分に補助カット部Ｈ１とアンカット部Ｎ１を設けている。また、シール周縁切込み４６の下側の切込み線と切取ミシン４１ｂの接続部分も円弧でつながるようにされ、その部分に補助カット部Ｈ２とアンカット部Ｎ２を設けている。
つまみ４２ａから剥離した場合は、補助カット部Ｈ１とアンカット部Ｎ１があるため、取扱店控片１１ｂが中央部４ｃに連接して切取されることを防止している。一方、つまみ４２ｂから剥離した場合は、補助カット部Ｈ２とアンカット部Ｎ２があるため、取扱店控片１１ａが中央部４ｃに連接して切取されることを防止している。
【００３６】
また、シール周縁切込み４６の右辺には、５箇所の補助カット部（ｈ１〜ｈ５）とアンカット部が、シール周縁切込み４６の左辺には、５箇所の補助カット部（ｈ６〜ｈ１０）とアンカット部が設けられ、切取ミシン４１ａには５箇所の補助カット部（ｈ１１〜ｈ１５）とアンカット部が、切取ミシン４１ｂには５箇所の補助カット部（ｈ１６〜ｈ２０）とアンカット部が設けられている。これらの補助カット部は全て「Ｖ」字形状をしており、直前のアンカット部（アンカット部の符号を付していないが、線の途絶えた部分がアンカット部である。）を受ける形状で形成されている。
「Ｖ」字形状の補助カット部は、切取りが進行してくる方向に開いており、アンカット部で進行方向が多少反れても、本来の進行方向に戻して矯正する効果を行うことになる。アンカット部がなければ補助カット部を設ける必要はない。しかし、アンカット部がないと全て連続した切取線になってしまい、自然剥離が生じてしまうこともありえる。
上記において、アンカット部の長さは、０．５〜１．５ｍｍ程度、「Ｖ」字形状の補助カット部の片側の長さは、１〜３ｍｍ程度である。角度αは、１２５°から１４０°程度が好ましい。角度βは、１４０°から１６０°程度である。
【００３７】
図８は、図３のシール周縁切込みと切取ミシンの刃型形状を説明する図である。
図８の場合も、シール周縁切込み４６の上側の切込み線と切取ミシン４１ａの接続部分は円弧Ｒ１でつながるようにされ、シール周縁切込み４６の下側の切込み線と切取ミシン４１ｂの接続部分は円弧Ｒ２でつながるようにされている。ただし、当該部分のシール周縁切込み４６には、補助カット部とアンカット部は設けられていない。この構造でも所定のつまみから剥離した場合に、目的の取扱店控片を伴うことができる。
シール周縁切込み４６の右辺に、５箇所の補助カット部（ｈ１〜ｈ５）とアンカット部が、周縁切込み４６の左辺に、５箇所の補助カット部（ｈ６〜ｈ１０）とアンカット部が設けられ、切取ミシン４１ａには５箇所の補助カット部（ｈ１１〜ｈ１５）とアンカット部が、切取ミシン４１ｂには５箇所の補助カット部（ｈ１６〜ｈ２０）とアンカット部が設けられている。このことは、図７の場合と同様である。アンカット部の長さは、０．５〜１．５ｍｍ程度、「Ｖ」字形状補助カット部の片側の長さは、１〜３ｍｍ程度である。角度αは、１２５°から１４０°程度が好ましい。
図８の他の特徴点は、管理コードを印字した部分をシールとして利用できるように、長い方形上の管理コード用シール切込み５０を有することである。
【００３８】
（配送用シールの製造について）
配送用シールの製造は、紙基材２と粘着剤を塗工した剥離基材３とをラミネートした後、該紙基材２に配送用シールの形状や文字、模様を印刷する。印刷とインラインの工程で、抜き刃型によりシール周縁切込み４６や切取ミシン４１ａ，４１ｂ、補助カット部の形成、お客様切り離し予定部１３、ファイル孔１４を打ち抜く工程行う。
お客様切り離し予定部１３、ファイル孔１４は剥離基材３まで貫通するが、その他は紙基材２までを切断するようにする。ここまでの工程は、マージナルゾーンに送り孔を有する連続紙の状態で行う。    
その後、ロット毎に、管理コード１１１や光学読取管理コード４４、お問い合わせ番号の印字を行う。この印字工程は、簡易プリンタによるものであって良い。印字工程は枚葉にして行ってもよい。
紙基材２には、十分な強度と印字適性および搬送適性を有するものであれば使用でき、例えば、上質紙、インクジェット紙、複写用紙、コート紙、等を使用できる。
【実施例】
【００３９】
（実施例１）
紙厚１７５μｍ（坪量１６５ｇ／ｍ２程度）の上質系インクジェット用紙２と剥離基材３とを粘着剤層を介してラミネートした後、インクジェット用紙２面に、取扱店控、お客様控のパターン、所定の文言等を印刷し、同時の工程で、シール周縁切込み４６や切取ミシン４１ａ，４１ｂ、お客様控切り離し予定部１３、ファイル孔１４の打ち抜きを行った。
シール周縁切込み４６や切取ミシン４１ａ，４１ｂの打ち抜き刃型には、図７図示の形状のものを使用した。その際の配送物貼付シール部４の長さＬ１は、６５ｍｍ、幅Ｌ２は、３３ｍｍ、Ｌ３は、１０ｍｍ、アンカット部Ｎ１，Ｎ２の長さは、１．０ｍｍ、その他のアンカット部は０．６ｍｍとした。「Ｖ」字状の補助カット部の片側の長さは、２．０ｍｍとした。補助カット部の角度αは１３０°、角度βは１５０°とした。
その後、インキジェットプリンタを用いて、ロット毎に、管理コード１１１や光学読取管理コード４４、お問い合わせ番号の印字を行った。
【００４０】
（実施例２）
紙厚１７５μｍ（坪量１６５ｇ／ｍ２程度）の上質系インクジェット用紙２と剥離基材３とを粘着剤層を介してラミネートした後、インクジェット用紙２面に、取扱店控、お客様控のパターン、所定の文言等を印刷し、同時の工程で、シール周縁切込み４６や切取ミシン４１ａ，４１ｂ、お客様控切り離し予定部１３、ファイル孔１４の打ち抜きを行った。
シール周縁切込み４６や切取ミシン４１ａ，４１ｂの打ち抜き刃型には、図８図示の形状のものを使用した。その際の配送物貼付シール部４の長さＬ１は、７０ｍｍ、幅Ｌ２は、３５ｍｍ、Ｌ３は、１０ｍｍ、各アンカット部の長さは、０．６〜１．２ｍｍとし、「Ｖ」字状の補助カット部の片側の長さは、２．０ｍｍとした。補助カット部の角度αは１４０°とした。
その後、レーザービームプリンタを用いて、ロット毎に、管理コード１１１や光学読取管理コード４４、お問い合わせ番号の印字を行った。
【００４１】
実施例１、実施例２で得られた配送用シール１は、目的のつまみから剥離して、予定した配送物貼付シール部４が得られ、好適に使用できるものであった。
【産業上の利用可能性】
【００４２】
メール便と称される宅配の一形態に使用される配送用シールに利用できる。
【符号の説明】
【００４３】
１      配送用シール
２      紙基材
３      剥離基材
４      配送物貼付シール部
４ｃ    配送物貼付シール部の中央部分
５      マーク
６      配送物
７      配送伝票
１１    取扱店控
１１ａ，１１ｂ  取扱店控片
１２    お客様控
１３    切り離し予定部
１４    ファイル孔
２０    表面用紙
４１ａ，４１ｂ    切取ミシン
４２ａ、４２ｂ  つまみ
４４    光学読取管理コード
４５    マークガイド
４６    シール周縁切込み
４７    配送物の取扱種別を示す文言
４９    管理コード用シール
５０    管理コード用シール切込み
１１０  取扱店控部
１１１  管理コード
１２１  お問い合わせ番号
Ｎ１，Ｎ２  アンカット部
Ｈ１，Ｈ２  補助カット部
ｈ１〜ｈ２０  補助カット部
【図１】
2013144435.tif 000003
【図２】
2013144435.tif 000004
【図３】
2013144435.tif 000005
【図４】
2013144435.tif 000006
【図５】
2013144435.tif 000007
【図６】
2013144435.tif 000008
【図７】
2013144435.tif 000009
【図８】
2013144435.tif 000010